(57)【要約】【課題】苗載せ台の上方に設置される薬剤散布装置を簡単に退避回動させると共に、苗載せ台の上方を開放して苗載置部や散布装置のメンテナンス作業等も行い易くする移植機における薬剤散布装置を提供する。【解決手段】苗載せ台９の上方に支持ブラケット３１と支柱２２を介して支持される本体支持フレーム２１に設けられる散布装置本体部２０から、薬剤をマット状苗Ｍに向けて散布する移植機における薬剤散布装置であって、前記本体支持フレーム２１を横向きに支持する左右の支柱２２を、支持長さを調節可能に構成すると共に、支持ブラケット３１側に支持軸３２を支点に前後回動自在に軸支し、且つ起立姿勢から退避回動する支柱２２を支持ブラケット３１側に設けた支柱ストッパ３１ｃによって、メンテナンス作業姿勢に受け止め支持する構成にした。【選択図】図３
2020005571.tif 000002
【特許請求の範囲】
【請求項１】
走行機体（５）に昇降機構（７）を介し、苗載せ台（９）に載置されるマット状苗Ｍから苗Ｎを掻取り圃場に植付ける植付装置（６）を装着すると共に、苗送りされるマット状苗（Ｍ）の苗（Ｎ）を仕分ける苗仕分け杆（２６）を支持する支持ブラケット（３１）を苗載せ台（９）の左右に立設し、該支持ブラケット（３１）に起立固定される支柱（２２）に、散布装置本体部（２０）を取付ける本体支持フレーム（２１）を横向きに支持することにより、散布装置本体部（２０）から薬剤をマット状苗Ｍに向けて散布する移植機１における薬剤散布装置において、
前記本体支持フレーム（２１）を横向きに支持する左右の支柱（２２）を、支持長さを調節可能に構成すると共に、支持ブラケット（３１）側に支持軸（３２）を支点に前後回動自在に軸支し、且つ起立姿勢から退避回動する支柱（２２）を支持ブラケット（３１）側に設けた支柱ストッパ（３１ｃ）によって、メンテナンス作業姿勢に受け止め支持することを特徴とする移植機における薬剤散布装置。
【請求項２】
前記支柱（２２）を、支持ブラケット（３１）の下部側で支持軸（３２）によって回動自在に軸支される回動支持杆（２２ａ）と、本体支持フレーム（２１）側に取付けられて下部側を上記回動支持杆（２２ａ）にスライド可能に挿入される調節支持杆（２２ｂ）となし、該調節支持杆（２２ｂ）に設けるノブボルト（３８）を、支持ブラケット（３１）に対し上下方向に複数段に設けられるネジ孔からなる取付孔（３３ａ）に択一的に取付け可能に構成する請求項１記載の移植機における薬剤散布装置。
【請求項３】
前記左右の支持ブラケット（３１）に、苗仕分け杆（２６）の左右端を着脱可能に挿入する複数の取付孔（３３）を、支柱（２２）の起立姿勢に略沿わせ回動支持杆（２２）ａの基部側から調節支持杆（２２）側に向けて配設する請求項１又は２記載の移植機における薬剤散布装置。
【請求項４】
前記支持ブラケット（３１）に苗仕分け杆（２６）を取付ける複数の取付孔（３３）のうち、上段側の取付孔（３３ａ）をノブボルト（３８）を挿入締着可能なネジ孔にする請求項１又は２又は３記載の移植機における薬剤散布装置。
【発明の詳細な説明】
【技術分野】
【０００１】
本発明は、移植機における薬剤散布装置に関する。
【背景技術】
【０００２】
従来、走行機体の後部で昇降機構を介し、苗載せ台に載置されるマット状苗から苗を掻取り圃場に植付ける植付装置を装着すると共に、苗載せ台の左右に苗送りされるマット状苗の苗を前後方向に谷状に仕分ける苗仕分け杆（苗押え杆）を支持する支持ブラケットを立設し、該支持ブラケットに立設した支柱に散布装置本体部を取付けるガイドレール（本体支持フレーム）を横向きに支持することにより、散布装置本体部から薬剤をマット状苗に向けて散布する移植機における薬剤散布装置が既に公知である。（例えば特許文献１参照）
【先行技術文献】
【特許文献】
【０００３】
【特許文献１】特許第４７６４４８４号公報
【発明の概要】
【発明が解決しようとする課題】
【０００４】
上記特許文献１に示される植付装置に設置される散布装置は、苗載せ台の左右で苗仕分け杆を有する支持ブラケットに立設した支柱によって横方向に支持される本体支持フレームを、ガイドレールとして散布装置本体部を所定高さで往路移動させながら薬剤を、苗仕分け杆の仕分け作用によって形成した苗仕分け空間部に供給するため散布作業をスムーズにできる利点がある。
然しながら、支持ブラケットに溶接手段等によって一体固設される支柱に支持されるガイドレールと散布装置本体部とが、苗載せ台の苗送り終端側上方のスペースに臨んでいるため、苗の植付け同時散布作業（植付け消毒作業等）を終えた時点で、苗載せ台に植付未完状態で残る残留マット状苗、及び圃場における植付け消毒作業の中途において諸種の要因に伴い対象マット状苗を除去又は交換をしたい場合に、苗載せ台の下位部側から狭い間隙を介し苗送り部を滑らせながら上方に向けて取り出し移動を行うマット状苗の取り出しや交換作業等が煩雑で面倒になる欠点がある。
また苗載せ台の各苗載置部に載置されるマット状苗の浮上りを規制しながら縦送り案内をする苗押え杆を備えるものでは、苗送り部の送りベルトの保守点検作業、並びに苗仕分け杆の取付け位置調節等のメンテナンス作業をする場合には、上記苗押え杆を上方に向け退避回動しようとしてもガイドレールに邪魔されることから、大きく退避回動できず作業が煩雑化すると共に、散布装置に手を加え一部分解を行う等の非能率な作業を要する課題がある。
【課題を解決するための手段】
【０００５】
上記課題を解決するため本発明は、第１に、走行機体５に昇降機構７を介し、苗載せ台９に載置されるマット状苗Ｍから苗Ｎを掻取り圃場に植付ける植付装置６を装着すると共に、苗送りされるマット状苗Ｍの苗Ｎを仕分ける苗仕分け杆２６を支持する支持ブラケット３１を苗載せ台９の左右に立設し、該支持ブラケット３１に起立固定される支柱２２に、散布装置本体部２０を取付ける本体支持フレーム２１を横向きに支持することにより、散布装置本体部２０から薬剤をマット状苗Ｍに向けて散布する移植機１における薬剤散布装置において、
前記本体支持フレーム２１を横向きに支持する左右の支柱２２を、支持長さを調節可能に構成すると共に、支持ブラケット３１側に支持軸３２を支点に前後回動自在に軸支し、且つ起立姿勢から退避回動する支柱２２を支持ブラケット３１側に設けた支柱ストッパ３１ｃによって、メンテナンス作業姿勢に受け止め支持することを特徴としている。
第２に、前記支柱２２を、支持ブラケット３１の下部側で支持軸３２によって回動自在に軸支される回動支持杆２２ａと、本体支持フレーム２１側に取付けられて下部側を上記回動支持杆２２ａにスライド可能に挿入される調節支持杆２２ｂとなし、該調節支持杆２２ｂに設けるノブボルト３８を、支持ブラケット３１に対し上下方向に複数段に設けられるネジ孔からなる取付孔３３ａに択一的に取付け可能に構成することを特徴としている。
第３に、左右の支持ブラケット３１に、苗仕分け杆２６の左右端を着脱可能に挿入する複数の取付孔３３を、支柱２２の起立姿勢に略沿わせ回動支持杆２２ａの基部側から調節支持杆２２側に向けて配設することを特徴としている。
第４に、支持ブラケット３１に苗仕分け杆２６を取付ける複数の取付孔３３のうち、上段側の取付孔３３ａをノブボルト３８を挿入締着可能なネジ孔にすることを特徴としている。
【発明の効果】
【０００６】
請求項１に係る発明によれば、走行機体に苗載せ台に載置されるマット状苗から苗を掻取り圃場に植付ける植付装置を装着すると共に、苗送りされるマット状苗の苗を仕分ける苗仕分け杆を支持する支持ブラケットを苗載せ台の左右に立設し、該支持ブラケットに起立固定される支柱に、散布装置本体部を取付ける本体支持フレームを横向きに支持することにより、散布装置本体部から薬剤をマット状苗に向けて散布する移植機における薬剤散布装置において、前記本体支持フレームを横向きに支持する左右の支柱を、支持長さを調節可能に構成すると共に、支持ブラケット側に支持軸を支点に前後回動自在に軸支し、且つ起立姿勢から退避回動する支柱を支持ブラケット側に設けた支柱ストッパによって、メンテナンス作業姿勢に受け止め支持することにより、
支持ブラケットとの起立固定を解除する支柱は、支持軸を支点に散布装置を簡単に退避回動することができ、また支持ブラケットの支柱ストッパによって所定のメンテナンス作業姿勢に受け止め支持され、苗載せ台の上方を大きく開放することができるので、散布装置に邪魔されない広いスペースを介して、苗載せ台に残留するマット状苗の取り出し作業を楽な姿勢によって速やかに行うことができると共に、苗載置部や縦送り部等の清掃点検、及び散布装置のメンテナンス作業等も行い易くすることができる。
また左右の支柱は支持長さを長く調節すると、本体支持フレームと散布装置本体部を苗載せ台から可及的高所に離間させた高い位置から高所散布作業を所望に行うことができると共に、散布装置を退避回動させたメンテナンス作業姿勢時に苗載せ台の上方スペースを広くすることができるので、メンテナンス作業をより行い易くすることができる等の利点がある。
請求項２に係る発明によれば、前記支柱を、支持ブラケットの下部側で支持軸によって回動自在に軸支される回動支持杆と、本体支持フレーム側に取付けられて下部側を上記回動支持杆にスライド可能に挿入される調節支持杆となし、該調節支持杆に設けるノブボルトを、支持ブラケットに対し上下方向に複数段に設けられるネジ孔からなる取付孔に択一的に取付け可能に構成することにより、
支持ブラケットに対し、回動支持杆を回動可能に支持する支持軸と、調節支持杆が備えるノブボルトを択一的に取付けて支持長さを調節固定する取付孔と、ノブボルトの固定解除に伴う支柱の退避回動を受け止め支持する支柱ストッパを共に形成するので、取扱い易い散布装置用の支柱支持機構を簡潔且つ安価に提供できる。
請求項３に係る発明によれば、前記左右の支持ブラケットに、苗仕分け杆の左右端を着脱可能に挿入する複数の取付孔を、支柱の起立姿勢に略沿わせ回動支持杆の基部側から調節支持杆側に向けて配設することにより、
調節支持杆の基部側から調節支持杆に沿わせて上下段に設ける取付孔は、苗仕分け杆を薬剤散布位置より苗送り方向上手側で苗長さに各対応した仕分け高さを精度よく適正に位置決めすることを容易にすると共に、薬剤の散布効率を高めることができる。
また調節支持杆に沿わせる上段側の取付孔は、必要により調節支持杆の高さを位置決めする取付孔として利用し易くすることができる。
請求項４に係る発明によれば、前記支持ブラケットに苗仕分け杆を取付ける複数の取付孔のうち、上段側の取付孔をノブボルトを挿入締着可能なネジ孔にすることにより、
上段側で調節支持杆に沿って苗仕分け杆を取付ける取付孔は、単にネジ孔にするだけの簡単な変更によってノブボルトを挿入して調節支持杆の高さ位置を調節する調節孔として兼用するため、支持ブラケットに形成する取付孔を徒に増やすことなく簡潔安価な支柱支持機構を構成できると共に、散布装置本体部側に手を加えることなく支持長さの多段調節を容易にすることができる。
また支持ブラケットは、支持軸に対設する支柱ストッパ及び各種の取付孔等によるブラケット機能を集約した多機能構造にしていることにより、支柱支持機構の構成を簡潔にしながら取扱い上の利便性を高め、且つ製作を能率よく安価に行える等の特徴がある。
【図面の簡単な説明】
【０００７】
【図１】本発明を適用した移植機の左側面図である。
【図２】植付装置に散布装置を設置した構成を示す背面図である。
【図３】苗載せ台に設置される支柱支持機構の構成を示す斜視図である。
【図４】植付装置に散布装置を設置した構成及び散布作業を示す左側面図である。
【図５】図４の散布装置を後方回動したメンテナンス作業姿勢を示す左側面図である。
【図６】支持ブラケットの構造を示す斜視図である。
【発明を実施するための形態】
【０００８】
本発明の一実施形態を図面に基づいて説明する。図１,図２に示すように移植機１は、前輪２及び後輪３に支持されて運転操作部４を備える走行機体５に、圃場に苗を植付ける植付装置６を機体の後部に構成される昇降機構７を介して着脱可能に装着している。また走行機体５の前方には、ボンネット８に覆われたエンジン（図示せず）を搭載していると共に、上記植付装置６が備える苗載せ台９の後方上方には本発明に係る散布装置１０を設置している。
【０００９】
上記走行機体５は、機体中央位置に配置される運転操作部４に、作業者が着座する運転座席４ａ、ハンドル４ｂ及び操作レバー類を備えている。また昇降機構７は、アッパーリンク及びロアリンクからなるリンク機構７ａと油圧シリンダ７ｂとを備えており、リンク機構７ａはその前端が走行機体５の後部に揺動自在に支持され、後端を植付装置６の植付けフレーム１１が備えるヒッチ部に取付けられ、油圧シリンダ７ｂの伸縮動作により植付装置６を昇降動作できる。
【００１０】
実施形態の植付装置６は、上記植付けフレーム１１の機体幅方向に複数（図示例では２個）のプランタケース１２が植付け駆動間隔を有して配置され、プランタケース１２の後端両側にはロータリケース１３がプランタシャフトに回転自在に装着されている。
そして、ロータリケース１３のプランタアームには、マット状苗を載置する苗載せ台９から苗を掻き取る植付爪１５が取付けられ、これらによる植付け伝動系及び苗を掻き取る植付爪１５等により植付け部１６が構成されている。
また各プランタケース１２には、フロート１７を上下調節可能に設けており、この調節によって植付爪１５による植付け深さを調整することができる。
【００１１】
次に、図２〜図５を参照し植付装置６が備える苗載せ台９と、これに装着される散布装置１０について説明する。
先ず、実施形態の苗載せ台９は、機体横方向に向けて４体分のマット状苗Ｍを並列状に各載置する４つの苗載置部９ａを有して平面視方形状をなしており、各苗載置部９ａの苗送り方向下手側にはマット状苗Ｍを下端側に送る苗縦送り部９ｂを設置している。
この苗載せ台９は在来のものと同様な構成によって、その後端部と前部の裏面中途部とを、それぞれ植付フレーム１１の下部側に設けられるエプロン（苗受けガイド）１８と、上部側のスライド支持部１８ａとによって、後部を低く前部を高くした前傾斜姿勢によって左右方向にスライド移動自在に支持される。
【００１２】
そして、苗載せ台９に形成される４つの苗載置部９ａは、それぞれの下端をエプロン１８に切欠孔状に形成される各苗取出口（図示せず）に対向させており、前方側から載置供給されるマット状苗Ｍを、苗縦送り部９ｂのベルトコンベアの送り回転によって苗取出口に向けて苗送りをする。また苗載せ台９は、エプロン１８とスライド支持部１８ａとの間で植付フレーム１１の下部側に設置される苗横送り部１９によって、植付爪１５の苗植え運動と連動し左右方向に往復移動をすることができる。
これによる植付装置６は、苗載せ台９が左右の横移送ストロークエンドに到達する都度、各苗縦送り部９ｂによって設定ストロークだけ縦送りし、各苗載置部９ａのマット状苗Ｍの下端部がエプロン１８の苗取出口に対して順次臨み
苗Ｎを苗植付け部１６の各植付爪１６が順次所定本数を掻取り圃場に植付けて植付け作業を遂行することができる。
【００１３】
次に、図３〜図６を参照し苗載せ台９の上方に装着されてマット状苗Ｍに薬剤を散布供給する散布装置１０について説明する。
この散布装置１０は、薬剤を収容するタンク２０ａとンク下部側から薬剤を繰り出して散布する散布機構部２０ｂ等からなる散布装置本体部２０と、該散布装置本体部２０を苗載せ台９の上方に取付け支持する本体支持フレーム（ガイドレール）２１と、苗載せ台９の両側壁から左右で対をなして立設する支柱（前後回動杆）２２を介して本体支持フレーム２１を着脱及び姿勢変更可能に支持する支柱支持機構２３と、散布装置本体部２０と本体支持フレーム２１との間に構成され移送機構部２５と、散布機構部２０ｂと移送機構部２５との散布駆動制御と往復移動制御とを司る図示しない制御機構等から構成される。
尚、実施形態における本体支持フレーム２１は、散布装置本体部２０を載置セットした状態で左右往復移動を案内するガイドレール部材として兼用構成している。
【００１４】
一方、散布装置１０による散布作業を行う際の補助用品として苗載せ台９には、４条植付け分の各苗載置部９ａに載置されるマット状苗Ｍに対する薬剤供給対象位置において、縦送りされる苗Ｎを前後方向（苗送り方向）に仕分ける苗仕分け杆２６を、支柱支持機構２３の支持ブラケット３１に対し、後述する構成によって仕分け位置調節自在とするように設けているため、苗長さの生育を異にする各種苗長さ状のマット状苗Ｍに好適に対応するように設けている。
【００１５】
また苗載せ台９には、各苗載置部９ａに載置されたマット状苗Ｍの浮上りを規制しながら縦送りを助成案内する苗押え杆２７と、その作用姿勢を係脱自在に支持する押え杆支持具２８とを設置している。この苗押え杆２７は、基部側を在来のものと同様な構成によって苗載せ台９の後端側に立設される取付フレーム２９に対し回動可能に取付けられ、該苗押え杆２７は図４に
示すように、その折り返し端部を押え杆支持具２８の係合部に係合させることにより作用姿勢を保持するようにしている。
【００１６】
そして、図５で示すように押え杆支持具２８との係合を解除し上方に向けて退避回動させてメンテナンス作業姿勢に切換えた苗押え杆２７は、その下方を大きく開放するので、マット状苗Ｍの供給作業及び植付作業終了後等に苗載せ台９に残留する残留マット状苗Ｍの取り出し、及び苗載置部９ａや縦送り部９ｂ等の清掃点検等のメンテナンス作業を容易にすることができる。
【００１７】
次に、散布装置１０の各部の構成について説明する。まず散布装置本体部２０は、筒箱状をなすタンク２０ａの底部に散布機構部２０ｂを設けており、その繰り出し口に支柱２２の後方側に沿うホースからなるノズル３０を設け、ノズル下端の開口３０ａから繰り出される薬剤をマット状苗Ｍに向け散布供給することができる。
この散布装置本体部２０は、図２で示す本体支持フレーム２１の右端に支持される散布待機位置から移送機構部２５による制御駆動を介し、往路移動中に薬剤の散布を苗仕分け空間部Ｋに沿う空間内に行ったのち、復路では散布停止をした状態で元の待機位置に復帰移動停止をする。
【００１８】
上記本体支持フレーム２１は剛体構造の方形状断面とし、左右の支柱支持機構２３の支持ブラケット３１に対し、支柱２２の切換操作によって図４で示す散布作業姿勢と、図５で示すように後方に向けて退避回動した位置で固定されることにより、苗載せ台９の上方にメンテナンス用の広い空間スペースを形成する退避姿勢とに切換えられる。
尚、本体支持フレーム２１は、移送機構部２５を従来のものと同様な構成によって断面内に構成することができる他、例えば散布装置本体部２５側に設けて正逆回転制御されるピニオンギヤを、レール方向に沿って設置するラックギヤに噛合させる方式の移送機構を備えることができる。
【００１９】
次に、図２〜図６を参照し支柱支持機構２３について説明する。この支柱支持機構２３は、苗載せ台９の両側で前後方向に突設される台外枠部９ｂの中途部上面に沿って立設される支持ブラケット３１と、該支持ブラケット３１の支持孔３１ａに挿入される支持軸３２を挿通して前後方向に向けて回動自在に取付けられる支柱２２と、支持ブラケット３１に後述する配置構造によって設けられる複数の取付孔３３（３３ａ・・と３３ｂ・・）に、択一的に挿入して取付けられる前記苗仕分け杆２６等からなる。
【００２０】
この支柱支持機構２３の具体構造について図３，図６を参照し詳述する。先ず支持ブラケット３１は、ブラケット本体を１枚状の鉄製プレートをプレス加工によって成形しており、図６で示すように、下辺の前部に立設孔３４を有して側方に折り曲げる取付片３１ｂと、ブラケット本体の後部に後部取付け用の立設孔３４ａとを設けている。
これにより図３に示すように支持ブラケット３１は、取付片３１ｂを台外枠部９ｂの上面に載置した状態でボルト３５を立設孔３４に挿入して取付けると共に、立設孔３４ａと台外枠部９ｂの側面に固設される取付アーム３６の上部とに、ボルト３５ａを挿入締着して取付ける。尚、ボルト３５は、前記取付フレーム２９を取付片３１ｂに重ねた状態で共締めしている。
【００２１】
これにより左右の支持ブラケット３１は図３に示すように、苗載せ台９の両台外枠部９ｂに対し安定よく固設され平行状をなして立設される。
そして、支持ブラケット３１は、前記支持孔３１ａの後方上方位置に支柱ストッパ３１ｃを内向きに屈曲形成すると共に、ブラケット本体の後方上部には起立姿勢にある支柱２２に対し、後方から沿わせる方向に突出する支持片３１ｄを形成し、該支持片３１ｄには複数の取付孔３３ａを後述するようにネジ孔として設けるようにしている。
【００２２】
即ち、上記構成による支持ブラケット３１は、支持孔３１ａと支持片３１ｄとの間に苗仕分け杆２６を択一的に挿入して取付ける複数（図示例では９個）の取付孔３３を設けており、この取付孔３３のうち上段側のグループになる４個の取付孔３３ａは前記支持片３１ｄに形成する一方で、下段側のグループになる５個の取付孔３３ｂは本体部側に設けると共に、最上段の取付孔３３ａから最下段の取付孔３３ｂとの孔配置を支柱２２が図４で示す起立姿勢（作業姿勢）になる鉛直方向に略沿うように配置している。
【００２３】
そして、上段側のグループになる４個の取付孔３３ａは図６に示すように、何れも支持片３１ｄの内側面にナット３７を固設することにより、支柱２２が有する位置決め用の取付けボルトであるノブボルト３８を螺挿するネジ孔にしている。
これにより各取付孔３３ａは、ノブボルト３８が択一的に挿入締着された位置で、支柱長さを後述するように位置決め調節することにより、本体支持フレーム２１の高さ支持長さ調節を介して散布装置本体部２０の散布高さ及びメンテナンス作業用の高さを最適化できるようにしている。
【００２４】
つまり、このときノブボルト３８を挿入しない３個の取付孔３３ａは、長苗に対応したマット状苗Ｍの最適苗仕分け位置で、苗仕分け杆２６を挿入して取付けできる取付孔として択一的に選択利用を可能にするため、長稈苗状のマット状苗Ｍの仕分けに好適化することができる。
尚、図３に示す苗仕分け杆２６は、下段側グループの上位にあるため標準苗によるマット状苗Ｍに対する苗仕分け用の取付孔３３ｂとして好適化でき、ここから当該苗仕分け杆２６を別の取付孔３３ａ，３３ｂに調節セットをする際は、杆軸端に挿入セットされているクレビスピンを抜き去り苗仕分け杆２６を横移動させて外したのち、外された苗仕分け杆２６を逆順の操作によって、前記取付孔３３ａに挿入しクレビスピンをセットすることにより調節セット作業を行うことができる。
【００２５】
これによれば、下段側のグループになる５個の取付孔３３ｂは、上位の数個のものを標準苗長さに対応した位置で標準苗のマット状苗Ｍの苗仕分け位置で苗仕分け杆２６を挿入取付けすることができ、下位の数個のものは短い長さの短苗状のマット状苗Ｍの苗仕分け位置で、苗仕分け杆２６を挿入取付けすることができる。
【００２６】
ここで苗仕分け杆２６が取付けられた場合の苗仕分け作業について、図４で示す標準苗状のマット状苗Ｍを仕分ける例について説明する。
即ち、苗載せ台９の傾斜角を介して上方から送られるマット状苗Ｍの苗Ｎに対し、苗仕分け杆２６が苗茎部中途に接当することにより、この苗Ｎは下方に向けて苗送りされるに伴い苗仕分け杆２６の接当抵抗により葉先側が反苗送り側に順次倒されながら大きく前方傾斜したのち、葉先が苗仕分け杆２６から外れることに伴い起立姿に戻った状態で苗取出口に至り、苗取出口において植付爪１６による所定の苗掻取りと植付けが行われる。
【００２７】
この苗仕分け杆２６による苗仕分け作業においては、４体のマット状苗Ｍは、苗仕分け杆２６の接当により前方傾倒をする苗Ｎと、苗仕分け杆２６との接当が解除されて起立姿に復帰した苗送り下手側（後方下方側）の苗Ｎとの間で、側面視逆三角形溝状の大きな仕分け空間部Ｋを形成することができる。
そして、この状態において散布装置本体部２０が往路移動と散布を開始するとき、苗仕分け空間部Ｋに対し、ノズル３０が開口３０ａから薬剤を散布するので、薬剤は苗根本側に向けて効率よく供給され苗植付け後の薬剤効果が高められることになる。
【００２８】
次に、図３〜図５を参照し上記散布装置１０の本体支持フレーム２１を支持する支柱２２について説明する。この支柱２２は、支持ブラケット３１の下部側で支持軸３２によって前後方向に回動自在に軸支される回動支持杆２２ａと、該回動支持杆２２ａに上方からスライド可能に挿入されて上端に本体支持フレーム２１に嵌合して取付けられるブラケットを有するパイプ状の調節支持杆２２ｂと、該調節支持杆２２ｂの下部側から前方に突設するボルト取付片２２ｃに取付けられるノブボルト３８等からなる。
尚、上記調節支持杆２２ｂの下部後方側には、ボルト取付片２２ｃから外した際のノブボルト３８又は別途用意される補助支持ボルト（図示せず）を螺装可能なナット等からなるネジ孔部２２ｄを設けることが望ましい。
【００２９】
これによる左右の支柱２２は図３においては、ノブボルト３８を上から４番目の取付孔３３ａに挿入し締着しているため、支柱２２は最短長さによって本体支持フレーム２１を最下位高さに支持することができ、本体支持フレーム２１を介し散布装置本体部２０を横移動案内して薬剤の散布作業を行うことができる。
次いで、散布装置本体部２０を高い位置から行う場合は、ノブボルト３８を上記取付孔３３ａから離脱し調節支持杆２２ｂを上方にスライド移動して支柱伸ばしをした状態で、ノブボルト３８を上方にある取付孔３３ａを選択し挿入し締着すると、苗長さに対応した高所からの散布作業を行うことができる。
【００３０】
これによる散布装置１０は、苗長さの異なるマット状苗Ｍに対し、散布装置本体部２０やノズル３０等の局所と苗Ｎとの接触を防止することができ、且つ本体支持フレーム２１を介し所望の高さ位置からの散布作業をスムーズに効率よく行うことができる。
また高所から散布を要する液体状の薬剤や肥料等の流動物を散布する場合には、ノブボルト３８を最上段の取付孔３３ａに位置決め締着することによって行う。
【００３１】
そして、上記支柱支持機構２３による支柱２２を備える散布装置１０は、取付孔３３ａからノブボルト３８を離脱させた状態で支柱２２を支持軸３３を支点に後方回動させると、支持ブラケット３１の後部側で内向きに突出する支柱ストッパ３１ｃが、そのままの後方退避位置で支柱２２に接当して受け止めるので、図５で示す退避姿勢（メンテナンス作業姿勢）に簡単且つ速やかに切り換えることができる。
【００３２】
次に、以上のように構成される移植機１の散布装置１０の使用態様について説明する。
先ず、散布装置１０は、その本体支持フレーム２１を支持する左右の支柱２２を、支持長さ調節可能にすると共に、支持ブラケット３１側に支持軸３２を介し前後方向に回動自在に軸支し、且つ支持ブラケット３１側に設けた支柱ストッパ３１ｃによって回動方向の所定移動を受け止め支持するため、取付孔３３ａからノブボルト３８を外し、支柱２２を支持ブラケット３１との起立固定を解除すると、重量のある散布装置１０を支持軸３２を支点に後方に向けて簡単に退避回動することができ、且つこの所定回動を支柱ストッパ３１ｃが後方から受け止めるので、自ずとメンテナンス作業姿勢に支持することができる。
【００３３】
そして、このとき後方に退避回動した散布装置本体部２０と本体支持フレーム２１は、図５に示すように苗載せ台９の上方から退避して植付け部１６の上方で後傾姿勢に切換え支持されるので、後方から両者に対するメンテナンス作業を容易にできる。
また苗載せ台９は、散布装置１０の退避移動によって上方を大きく開放されるので、散布装置１０の本体支持フレーム２１等に邪魔されない広いスペースを介して、側方から苗押え杆２７を図５に示すように、十分に退避回動することができると共に、苗載せ台９に残留するマット状苗Ｍの取り出し作業を楽な姿勢によって速やかに行うことができ、また苗載置部９ａや縦送り部等の清掃点検等のメンテナンス作業も行い易くすることができる等の特徴がある。
【００３４】
尚、後傾姿勢に切換え支持される散布装置１０の作業姿勢への切換えは、上記切換作業と逆順の動作によって簡単に復帰することができるが、支柱２２を前後回動可能に設けるにあたり、支持ブラケット３１を前後方向に長くし且つ可及的下部側において、回動支持杆２２ａを支持軸３２によって軸支しているため、後傾姿勢にある散布装置１０を長くした支柱２２の支持長を介して楽な動作で起立姿勢に戻すことができる。
【００３５】
また支持ブラケット３１は、一枚状のプレートに対し、支持軸３２用の支持孔３１ａとその近傍に突出させる支柱ストッパ３１ｃと、支柱方向に配設する苗仕分け杆２６を取付ける複数の取付孔３３及びノブボルト３８を挿入締着可能なネジ孔としての取付孔３３ａを一連に形成するので、プレス加工やスポット溶接等の加工手段によって簡単安価に製作することができる。
【００３６】
従って、これにより製作される支柱支持機構２３は、支持ブラケット３１に対し各種ブラケット機能を集約した多機能構造にしていることにより、支柱支持機構の構成を簡潔にしながら取扱い上の利便性を高めるため、苗載せ台９に上方に臨む散布装置本体部２０や本体支持フレーム２１の取り外しをする等の手を加えることなく、また製作及びメンテナンス作業を能率よく低コストに行える等の特徴がある。
【符号の説明】
【００３７】
１  移植機（田植機）
５  走行機体
６  植付装置
７  昇降機構
９  苗載せ台
１０  散布装置
２０  散布装置本体部
２１  本体支持フレーム
２２  支柱（前後回動杆）
２２ａ  回動支持杆
２２ｂ  調節支持杆
２６  苗仕分け杆
３１  支持ブラケット
３１ｃ  支柱ストッパ
３２  支持軸
３３  取付孔
３３ａ  取付孔
３３ｂ  取付孔
３８  ノブボルト
Ｎ  苗
Ｍ  マット状苗
【図１】
2020005571.tif 000003
【図２】
2020005571.tif 000004
【図３】
2020005571.tif 000005
【図４】
2020005571.tif 000006
【図５】
2020005571.tif 000007
【図６】
2020005571.tif 000008